(57)【要約】【課題】  再生中に再生を途中で停止した光ディスクを他のディスク再生装置で再生する際に、その光ディスクの再生を停止した再生停止位置から光ディスクに記録された映像音声データを再生することができるようにする。【解決手段】  再生中に光ディスクの再生が停止されたとき、再生が停止された光ディスクの再生停止位置を不揮発性メモリに保存し、光ディスクのイジェクトが指令されたとき、光ディスクから読み込まれたディスク情報と保存されている光ディスクの再生停止位置とを着脱可能な不揮発性メモリカードに記録して、光ディスクと不揮発性メモリカードとが装着されたとき、装着された光ディスクのディスク情報を読み込み、読み込まれたディスク情報の光ディスクの再生停止位置を装着された不揮発性メモリカードから読み込んで、再生中に再生が停止された再生停止位置からの光ディスクの再生するようにする。【選択図】        図１
2007102948.tif 000002
【特許請求の範囲】
【請求項１】
光ディスクに記録された映像音声データを再生するディスク再生装置であって、
光ディスクのディスク情報を読み込む第１の読込手段と、前記第１の読込手段により読み込まれた光ディスクのディスク情報と再生中に再生が停止された光ディスクの再生停止位置とを保存する不揮発性メモリと、前記不揮発性メモリに保存されている光ディスクのディスク情報と光ディスクの再生停止位置とを記録する着脱可能な不揮発性メモリカードと、前記不揮発性メモリカードに記録されている光ディスクのディスク情報を読み込み、読み込まれた光ディスクのディスク情報に対応した光ディスクの再生停止位置を前記不揮発性メモリカードから読み込む第２の読込手段と、再生中に再生が停止された光ディスクの再生を選択する選択手段と、前記選択手段により、再生中に再生が停止された再生停止位置からの光ディスクの再生が選択された場合、前記第２の読込手段により読み込まれた光ディスクの再生停止位置から光ディスクに記録された映像音声データを再生し、前記選択手段により、再生中に再生が停止された再生停止位置からの光ディスクの再生が選択されない場合、光ディスクに記録された映像音声データを通常再生する再生手段とを備えたことを特徴とするディスク再生装置。
【請求項２】
光ディスクに記録された映像音声データを再生するディスク再生装置であって、
光ディスクのディスク情報を読み込む第１の読込手段と、前記第１の読込手段により読み込まれた光ディスクのディスク情報と再生中に再生が停止された光ディスクの再生停止位置とを保存する不揮発性メモリと、前記不揮発性メモリに保存されている光ディスクのディスク情報と光ディスクの再生停止位置とを記録する着脱可能な不揮発性メモリカードと、前記不揮発性メモリカードに記録されている光ディスクのディスク情報を読み込み、読み込まれた光ディスクのディスク情報に対応した光ディスクの再生停止位置を前記不揮発性メモリカードから読み込む第２の読込手段と、再生中に再生が停止された光ディスクの再生を選択する選択手段と、前記選択手段の選択に基づいて光ディスクに記録された映像音声データを再生する再生手段とを備えたことを特徴とするディスク再生装置。
【請求項３】
前記再生手段は、前記選択手段により、再生中に再生が停止された再生停止位置からの光ディスクの再生が選択された場合、前記第２の読込手段により読み込まれた光ディスクの再生停止位置から光ディスクに記録された映像音声データを再生する再生手段であることを特徴とする請求項２記載のディスク再生装置。
【請求項４】
前記再生手段は、前記選択手段により、再生中に再生が停止された再生停止位置からの光ディスクの再生が選択されない場合、光ディスクに記録された映像音声データを通常再生する再生手段であることを特徴とする請求項２記載のディスク再生装置。
【発明の詳細な説明】
【技術分野】
【０００１】
本発明は、光ディスクに記録された映像音声データを再生するディスク再生装置に係り、特に他のディスク再生装置のリジューム情報を利用して、再生中に再生が停止された再生停止位置から光ディスクを再生することができるディスク再生装置に関する。
【背景技術】
【０００２】
従来、ＤＶＤ（Ｄｉｇｉｔａｌ  Ｖｅｒｓａｔｉｌｅ  Ｄｉｓｃ）等の光ディスクに記録された映像音声データを再生するディスク再生装置は、再生中に再生を途中で停止した場合、その再生停止位置がリジューム情報としてディスク再生装置のメモリに保存され、ユーザがリジューム機能を利用してその光ディスクの再生を再開すると、再生中に再生を停止した再生停止位置から光ディスクに記録された映像音声データが再生することができるようになっている。しかし、再生を途中で停止した光ディスクをディスク再生装置から取り出すと、ディスク再生装置のメモリに保存されていたリジューム情報が消去されるため、ディスク再生装置から取り出した光ディスクをディスク装置に装着しても、再生中に再生を停止した再生停止位置から光ディスクを再生することができないという問題点があった。また、再生中に再生を途中で停止した光ディスクをディスク再生装置から取り出して、その光ディスクを他のディスク再生装置で再生する場合、リジューム情報を利用することができないため、再生中に再生を停止した位置からその光ディスクを再生することができないという問題点があった。
背景技術としては、記録媒体の情報データから記録媒体判別情報を生成して再生情報蓄積部に記録し、新たに装着された記録媒体の情報データから作成された記録媒体判別情報が再生情報蓄積部に記録されている記録媒体と同一の記録媒体である場合、その記録媒体の前回の再生位置から再生を行うようにしたものがあった（例えば、特許文献１参照）。
また、再生中の記録媒体の再生位置とユーザ情報とをリジューム情報として記録媒体に記録し、入力されたユーザ情報と再生するタイトルとを特定する情報が記録媒体に記録されている場合、そのリジューム情報にしたがって記録媒体の再生を開始するようにしたものがあった（例えば、特許文献２参照）。
また、光ディスクの取り出しが指示されたときに、ユーザが光ディスクのリジューム情報の内容更新の有無を確認して、リジューム情報の内容更新を行わない旨が指示されたとき、リジューム情報の内容更新を行わずに、光ディスクを取り出すようにしたものがあった（例えば、特許文献３参照）。
【特許文献１】特開２００５−１４９６７７号公報
【特許文献２】特開２００５−１２９０９３号公報
【特許文献３】特開２００５−４８４９号公報
【発明の開示】
【発明が解決しようとする課題】
【０００３】
しかしながら、背景技術で述べたもののうち最初のものにおいては、記録媒体の情報データから記録媒体判別情報を生成して再生情報蓄積部に記録し、新たに装着された記録媒体の情報データから作成された記録媒体判別情報が再生情報蓄積部に記録されている記録媒体と同一の記録媒体である場合、その記録媒体の前回の再生位置から再生を行うことができたが、装着された記録媒体が過去に装着された記録媒体と同一である場合、その記録媒体の前回の再生位置から再生を行うようにしたものであって、再生中に再生を途中で停止した光ディスクを他のディスク再生装置で再生する際に、その光ディスクの再生を停止した再生停止位置から光ディスクに記録された映像音声データを再生することができるようにしたものではなかった。
また、次のものにおいては、再生中の記録媒体の再生位置とユーザ情報とをリジューム情報として記録媒体に記録し、入力されたユーザ情報と再生するタイトルとを特定する情報が記録媒体に記録されている場合、そのリジューム情報にしたがって記録媒体の再生を開始することができたが、記録媒体の再生位置とユーザ情報とを記録媒体に記録して、複数のユーザの各ユーザが再生を停止した後に再生を再開する際、再生を停止した位置から記録媒体の再生を開始するようにしたものであって、光ディスクが記録可能な光ディスクでない場合、リジューム情報を記録媒体に記録することができないという問題点があった。
また、更にその次のものにおいては、光ディスクの取り出しが指示されたときに、ユーザが光ディスクのリジューム情報の内容更新の有無を確認して、リジューム情報の内容更新を行わない旨が指示されたとき、リジューム情報の内容更新を行わずに、光ディスクを取り出すことができたが、光ディスクのリジューム情報の内容更新を行わない旨が指示されたとき、リジューム情報の内容更新を行わず、前回の再生開始位置を維持するようにしたものであって、再生中に再生を途中で停止した光ディスクを他のディスク再生装置で再生する際に、その光ディスクの再生を停止した再生停止位置から光ディスクに記録された映像音声データを再生することができるようにしたものではなかった。
本発明は、背景技術の有するこのような問題点に鑑みてなされたものであり、その目的とするところは、再生中に再生を途中で停止した光ディスクを他のディスク再生装置で再生する際に、その光ディスクの再生を停止した再生停止位置から光ディスクに記録された映像音声データを再生することができるディスク再生装置を提供しようとするものである。
【課題を解決するための手段】
【０００４】
上記目的を達成するため本発明においては、光ディスクに記録された映像音声データを再生するディスク再生装置であって、光ディスクのディスク情報を読み込む第１の読込手段と、前記第１の読込手段により読み込まれた光ディスクのディスク情報と再生中に再生が停止された光ディスクの再生停止位置とを保存する不揮発性メモリと、前記不揮発性メモリに保存されている光ディスクのディスク情報と光ディスクの再生停止位置とを記録する着脱可能な不揮発性メモリカードと、前記不揮発性メモリカードに記録されている光ディスクのディスク情報を読み込み、読み込まれた光ディスクのディスク情報に対応した光ディスクの再生停止位置を前記不揮発性メモリカードから読み込む第２の読込手段と、再生中に再生が停止された光ディスクの再生を選択する選択手段と、前記選択手段の選択に基づいて光ディスクに記録された映像音声データを再生する再生手段とを備える。
前記再生手段は、前記選択手段により、再生中に再生が停止された再生停止位置からの光ディスクの再生が選択された場合、前記第２の読込手段により読み込まれた光ディスクの再生停止位置から光ディスクに記録された映像音声データを再生するようにするとよい。
また、前記再生手段は、前記選択手段により、再生中に再生が停止された再生停止位置からの光ディスクの再生が選択されない場合、光ディスクに記録された映像音声データを通常再生するようにするとよい。
これらの手段により再生中に再生を途中で停止した光ディスクを他のディスク再生装置で再生する際に、その光ディスクの再生を停止した再生停止位置から光ディスクに記録された映像音声データを再生することができる。
【発明の効果】
【０００５】
請求項１記載の発明に係るディスク再生装置によれば、光ディスクのディスク情報を読み込み、読み込まれた光ディスクのディスク情報と再生中に再生が停止された光ディスクの再生停止位置とを不揮発性メモリに保存して、不揮発性メモリに保存されている光ディスクのディスク情報と光ディスクの再生停止位置とを着脱可能な不揮発性メモリカードに記録し、不揮発性メモリカードに記録されている光ディスクのディスク情報を読み込んで、読み込まれた光ディスクのディスク情報に対応した光ディスクの再生停止位置を不揮発性メモリカードから読み込み、再生中に再生が停止された光ディスクの再生を選択して、再生中に再生が停止された再生停止位置からの光ディスクの再生が選択された場合、光ディスクの再生停止位置から光ディスクに記録された映像音声データを再生し、再生中に再生が停止された再生停止位置からの光ディスクの再生が選択されない場合、光ディスクに記録された映像音声データを通常再生するにしているので、再生中に再生を途中で停止した光ディスクを他のディスク再生装置で再生する際に、その光ディスクの再生を停止した再生停止位置から光ディスクに記録された映像音声データを再生することができる。
請求項２記載の発明に係るディスク再生装置によれば、光ディスクのディスク情報を読み込み、読み込まれた光ディスクのディスク情報と再生中に再生が停止された光ディスクの再生停止位置とを不揮発性メモリに保存して、不揮発性メモリに保存されている光ディスクのディスク情報と光ディスクの再生停止位置とを着脱可能な不揮発性メモリカードに記録し、不揮発性メモリカードに記録されている光ディスクのディスク情報を読み込んで、読み込まれた光ディスクのディスク情報に対応した光ディスクの再生停止位置を不揮発性メモリカードから読み込み、再生中に再生が停止された光ディスクの再生を選択して、その選択に基づいて光ディスクに記録された映像音声データを再生するようにしているので、再生中に再生を途中で停止した光ディスクを他のディスク再生装置で再生する際に、その光ディスクの再生を停止した再生停止位置から光ディスクに記録された映像音声データを再生することができる。
請求項３記載の発明に係るディスク再生装置によれば、再生中に再生が停止された再生停止位置からの光ディスクの再生が選択された場合、不揮発性メモリカードから読み込まれた光ディスクの再生停止位置から光ディスクに記録された映像音声データを再生するようにしているので、他のディスク再生装置の光ディスクのリジューム情報を利用して光ディスクの再生停止位置から光ディスクに記録された映像音声データを再生することができる。
請求項４記載の発明に係るディスク再生装置によれば、再生中に再生が停止された再生停止位置からの光ディスクの再生が選択されない場合、光ディスクに記録された映像音声データを通常再生するようにしているので、光ディスクに記録された映像音声データの通常再生することができる。
【発明を実施するための最良の形態】
【０００６】
以下、適宜図面を参照しながら本発明を実施するための最良の形態を詳述する。図１は本発明の一実施例のディスク再生装置の構成を示すブロック図であり、図２は本発明の一実施例のディスク再生装置の動作を示すフローチャートであり、図３は本発明の一実施例のディスク再生装置の動作を示すフローチャートである。
まず、図１の本発明の一実施例のディスク再生装置の構成を示すブロック図を基に説明する。
ディスク再生装置１は、光ディスク２にレーザ光を照射してその反射光を検出し、光ディスク２に記録されている映像音声データを読み出す光ピックアップ３と、光ディスク２を回転させるスピンドルモータ４と、光ピックアップ３を光ディスク２の半径方向にスレッド移動させるスレッドモータ５と、スピンドルモータ４の回転速度とスレッドモータ５の回転方向、回転速度とをサーボ制御し、光ピックアップ３により検出されたトラッキング誤差信号、フォーカス誤差信号に基づいて光ピックアップ３のトラッキング、フォーカスをサーボ制御するサーボ回路６と、光ピックアップ３により読み出された映像音声データのＲＦ（Ｒａｄｉｏ  Ｆｒｅｑｕｅｎｃｙ）信号を増幅するＲＦ増幅回路７と、ＲＦ増幅回路７により増幅された映像音声データのＲＦ信号を基準クロックに基づいて同期検出して復調し、復調された映像音声データの誤りを訂正して、所定の圧縮方式に基づいて圧縮された映像音声データを伸張し、伸張された映像音声データを復号して映像音声信号を再生する信号処理回路８と、文字情報信号を映像信号に重畳して、文字情報をモニタ装置４０の画面に表示するＯＳＤ（Ｏｎ−Ｓｃｒｅｅｎ  Ｃｈａｒａｃｔｅｒ  Ｄｉｓｐｌａｙ）回路９と、ディスク再生装置１のシステム全体を制御するマイコン１０と、再生中に再生が停止された光ディスク２の再生停止位置を保存する不揮発性メモリのフラッシュＲＯＭ１１と、ディスク再生装置１に装着された光ディスク２のディスク情報と再生中に再生が停止された光ディスク２の再生停止位置とを保存する着脱可能な不揮発性メモリカードのフラッシュメモリカード２０を装着するメモリカード装着部１２と、リモコン装置３０から送信された赤外線信号のリモコン信号を受信して、所定の電気信号に変換するリモコン受信部１３とで構成されている。
以上のように構成されたディスク再生装置について、以下その動作について説明する。
リモコン装置２０のキー操作により光ディスク２の再生が指令されると、マイコン１０は、サーボ回路６に制御信号を送出して、スピンドルモータ４を駆動して光ディスク２を回転させ、スレッドモータ５を駆動して光ピックアップ３を光ディスク２の半径方向にスレッド移動させ、光ピックアップ３のトラッキングとフォーカスとをサーボ制御して、光ピックアップ３により光ディスク２のディスク情報を読み込み、読み込まれた光ディスク２のディスク情報をフラッシュＲＯＭ１１に保存して、光ピックアップ３により光ディスク２に記録された映像音声データを読み出して映像音声データを再生する。
光ディスク２に記録された映像音声データの再生中に、リモコン装置２０のキー操作により光ディスク２の再生が停止された場合、マイコン１０は、再生中に再生が途中で停止された光ディスク２の再生停止位置をリジューム情報としてフラッシュＲＯＭ１１に保存する。
光ディスク２がディスク再生装置１からイジェクトされていない場合に、リモコン装置２０のキー操作により、再生中に再生が停止された再生停止位置からの光ディスク２の再生が指令されると、マイコン１０は、フラッシュＲＯＭ１１にリジューム情報として保存されている光ディスク２の再生停止位置から光ディスク２に記録された映像音声データを再生する。
リモコン装置２０のキー操作により光ディスク２のイジェクトが指令された場合、マイコン１０は、フラッシュＲＯＭ１１に保存されている光ディスク２のディスク情報と再生中に再生が停止された光ディスク２の再生停止位置とをメモリカード装着部１２に装着されたフラッシュメモリカード２０に記録して、光ディスク２とフラッシュメモリカード２０とをディスク再生装置１からイジェクトする。
また、他のディスク再生装置で再生中に途中で再生が停止された光ディスク２とフラッシュメモリカード２０とがディスク再生装置１に装着されて、リモコン装置のキー操作により光ディスク２の再生が指令されると、マイコン１０は、ディスク再生装置１に装着された光ディスク２のディスク情報を読み込んで、読み込まれた光ディスク２のディスク情報をフラッシュＲＯＭに保存し、その光ディスク２の情報データに対応した光ディスク２の再生停止位置をフラッシュメモリカード２０から読み込んで、読み込まれた光ディスク２の再生停止位置をリジューム情報としてフラッシュＲＯＭ１１に保存する。そして、リモコン装置２０のキー操作により、再生中に再生が停止された再生停止位置からの光ディスク２の再生が選択されると、マイコン１０は、フラッシュＲＯＭ１１にリジューム情報として保存されている光ディスク２の再生停止位置を読み出し、光ピックアップ３により光ディスク２に記録された映像音声データを読み出して、再生中に再生が停止された再生停止位置から光ディスク２に記録された映像音声データを再生する。
また、リモコン装置のキー操作により、再生中に再生が停止された再生停止位置からの光ディスク２の再生が選択されない場合、マイコン１０は、光ピックアップ３により光ディスク２に記録された映像音声データを読み出して、光ディスク２に記録された映像音声データを通常再生する。
光ディスク２に記録された映像音声データの再生中に、リモコン装置２０のキー操作により光ディスク２の再生停止が指令された場合、マイコン１０は、再生中に再生が停止された光ディスク２の再生停止位置をリジューム情報としてフラッシュＲＯＭ１１に保存する。
光ディスク２がディスク再生装置１からイジェクトされていない場合に、リモコン装置２０のキー操作により、再生中に再生が停止された再生停止位置からの光ディスク２の再生が指令されると、マイコン１０は、フラッシュＲＯＭ１１にリジューム情報として保存されている光ディスク２の再生停止位置から光ディスク２に記録された映像音声データを再生する。
リモコン装置２０のキー操作により光ディスク２のイジェクトが指令された場合、フラッシュＲＯＭ１１に保存されている光ディスク２のディスク情報と再生中に再生が停止された光ディスク２の再生停止位置とをフラッシュメモリカード２０に記録して、光ディスク２とフラッシュメモリカード２０とをディスク再生装置１からイジェクトする。
また、図２の本発明の一実施例のディスク再生装置の動作を示すフローチャートを基に説明する。
リモコン装置のキー操作により光ディスクの再生が指令されると、ステップＳ１からステップＳ２に進み、ステップＳ２で、光ディスクのディスク情報が読み込まれて、読み込まれた光ディスクのディスク情報がフラッシュＲＯＭに保存され、光ディスクに記録された映像音声データが再生されて、ステップＳ３に進む。
ステップＳ３で、リモコン装置のキー操作により光ディスクの再生停止が指令されたか否かが判断され、光ディスクの再生停止が指令された場合、ステップＳ４に進み、光ディスクの再生停止が指令されていない場合、ステップＳ３のステップを繰り返す。
ステップＳ４で、再生中に再生が停止された光ディスクの再生停止位置がリジューム情報としてフラッシュＲＯＭに保存され、ステップＳ５に進む。
ステップＳ５で、リモコン装置のキー操作により、再生中に再生が停止された再生停止位置からの光ディスクの再生が指令されたか否かが判断され、再生中に再生が停止された再生停止位置からの光ディスクの再生が指令された場合、ステップＳ６に進み、再生中に再生が停止された再生停止位置からの光ディスクの再生が指令されていない場合、ステップＳ７に進む。
ステップＳ６で、再生中に再生が停止された再生停止位置から光ディスクに記録された映像音声データが再生され、ステップＳ３に戻って、ステップＳ３からのステップを繰り返す。
ステップＳ７で、リモコン装置のキー操作により光ディスクのイジェクトが指令されたか否かが判断され、光ディスクのイジェクトが指令された場合、ステップＳ８に進み、光ディスクのイジェクトが指令されていない場合、ステップＳ９に進んで処理を終了する。
ステップＳ６で、フラッシュＲＯＭに保存されている光ディスクのディスク情報と再生中に再生が停止された光ディスクの再生停止位置とがフラッシュメモリカードに記録され、光ディスクとフラッシュメモリカードとがディスク再生装置からイジェクトされて、ステップＳ９に進んで処理を終了する。
また、図３の本発明の一実施例のディスク再生装置の動作を示すフローチャートを基に説明する。
他のディスク再生装置で再生中に途中で再生が停止された光ディスクとフラッシュメモリカードとがディスク再生装置に装着されて、リモコン装置のキー操作により光ディスクの再生が指令されると、ステップＳ１１からステップＳ１２に進み、ステップＳ１２で、光ディスクのディスク情報が読み込まれて、読み込まれた光ディスクのディスク情報がフラッシュＲＯＭに保存され、その光ディスクの再生停止位置がフラッシュメモリカードから読み込まれて、読み込まれた光ディスクの再生停止位置がリジューム情報としてフラッシュＲＯＭに保存され、ステップＳ１３に進む。
ステップＳ１３で、リモコン装置のキー操作により、再生中に再生が停止された再生停止位置からの光ディスクの再生が選択されたか否かが判断され、再生中に再生が停止された再生停止位置からの光ディスクの再生が選択された場合、ステップＳ１４に進み、再生中に再生が停止された再生停止位置からの光ディスクの再生が選択されない場合、ステップＳ１５に進む。
ステップＳ１４で、フラッシュＲＯＭに保存されている再生停止位置が読み出されて、再生中に再生が停止された再生停止位置から光ディスクに記録された映像音声データが再生され、ステップＳ１６に進む。
ステップＳ１５で、光ディスクに記録された映像音声データが通常再生され、ステップＳ１６に進む。
ステップＳ１６で、リモコン装置のキー操作により光ディスクの再生停止が指令されたか否かが判断され、光ディスクの再生停止が指令された場合、ステップＳ１７に進み、光ディスクの再生停止が指令されていない場合、ステップＳ１６に戻って、ステップＳ１６からのステップを繰り返す。
ステップＳ１７で、再生中に再生が停止された光ディスクの再生停止位置がリジューム情報としてフラッシュＲＯＭに保存され、ステップＳ１８に進む。
ステップＳ１８で、リモコン装置のキー操作により、再生中に再生が停止された再生停止位置からの光ディスクの再生が指令されたか否かが判断され、再生中に再生が停止された再生停止位置からの光ディスクの再生が指令された場合、ステップＳ１４に進み、再生中に再生が停止された再生停止位置からの光ディスクの再生が指令されていない場合、ステップＳ１９に進む。
ステップＳ１９で、リモコン装置のキー操作により光ディスクのイジェクトが指令されたか否かが判断され、光ディスクのイジェクトが指令された場合、ステップＳ２０に進み、光ディスクのイジェクトが指令されていない場合、ステップＳ２１に進んで処理を終了する。
ステップＳ１９で、フラッシュＲＯＭに保存されている光ディスクのディスク情報と再生中に再生が停止された光ディスクの再生停止位置とがフラッシュメモリカードに記録され、光ディスクとフラッシュメモリカードとがディスク再生装置からイジェクトされて、ステップＳ２０に進んで処理を終了する。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク再生装置の構成を示すブロック図である。
【図２】本発明の一実施例のディスク再生装置の動作を示すフローチャートである。
【図３】本発明の一実施例のディスク再生装置の動作を示すフローチャートである。
【符号の説明】
【０００８】
１  ディスク再生装置
２  光ディスク
３  光ピックアップ
４  スピンドルモータ
５  スレッドモータ
６  サーボ回路
７  ＲＦ増幅回路
８  信号処理回路
９  ＯＳＤ回路
１０  マイコン
１１  フラッシュＲＯＭ
１２  メモリカード装着部
１３  リモコン受信部
２０  フラッシュメモリカード
３０  リモコン装置
４０  モニタ装置
【図１】
2007102948.tif 000003
【図２】
2007102948.tif 000004
【図３】
2007102948.tif 000005